(57)【要約】【課題】ユーザに負担をかけずに、受信データを受信した通信装置から受信データの送信元の外部装置に送信データを簡単に送信する。【解決手段】記憶手段は、受信子機２Ａが外部装置５から受信した受信データとともに、受信データの送信元を示す外部装置５の送信元情報及び受信データを受信した受信子機２Ａの識別情報を含む送受信情報を記憶する。特定手段は、記憶手段に記憶された受信データの中からユーザにより選択された選択受信データを特定する。送信データ取得手段は、特定手段により特定された選択受信データの送信元の外部装置５に送信する送信データを取得する。送信制御手段は、送受信情報に基づいて、選択受信データを受信した受信子機２Ａから、送信データを選択受信データの送信元の外部装置５に送信する。【選択図】  図７
2015061142.tif 000002
【特許請求の範囲】
【請求項１】
外部装置と通信する１以上の通信装置を備えた通信システムであって、
前記通信装置が前記外部装置から受信した受信データとともに、前記受信データの送信元を示す前記外部装置の送信元情報及び前記受信データを受信した通信装置の識別情報を含む送受信情報を記憶する記憶手段と、
前記記憶手段に記憶された前記受信データの中からユーザにより選択された選択受信データを特定する特定手段と、
前記特定手段により特定された前記選択受信データの送信元の前記外部装置に送信する送信データを取得する送信データ取得手段と、
前記記憶手段に記憶された前記送受信情報に基づいて、前記１以上の通信装置のうち前記選択受信データを受信した通信装置から、前記送信データを前記選択受信データの送信元の外部装置に送信する送信制御手段と、
を備えた通信システム。
【請求項２】
請求項１に記載された通信システムにおいて、
前記送信データが送信された外部装置の送信元情報及び前記１以上の通信装置のうち前記送信データの送信に用いた通信装置の識別情報を含む送信情報を蓄積する蓄積手段と、
前記送信情報に含まれる外部装置への送信データの送信要求を受け付けたとき、前記蓄積手段により蓄積された前記送信情報に基づいて、前記１以上の通信装置のうち該外部装置へのデータの送信に用いる通信装置を指定する指定手段と、を備え、
前記送信制御手段は、前記送信要求に基づいて、前記指定手段で指定された通信装置から送信データを送信する通信システム。
【請求項３】
請求項１又は２に記載された通信システムにおいて、
前記送信制御手段は、前記通信装置から前記送信データの送信が要求されたときに、前記選択受信データを受信した前記通信装置に、前記送信データの前記外部装置への送信を指示する指示手段を有する通信システム。
【請求項４】
請求項１ないし３のいずれかに記載された通信システムにおいて、
前記通信装置は、前記外部装置との通信時に用いる複数の通信番号を有し、
前記記憶手段は、前記通信装置による前記受信データの受信に用いられた前記通信番号を前記送受信情報に記憶し、
前記送信制御手段は、前記選択受信データを受信した前記通信装置により、前記選択受信データの受信に用いられた前記通信番号を用いて、前記送信データを前記選択受信データの送信元の前記外部装置に送信する通信システム。
【請求項５】
請求項１ないし４のいずれかに記載された通信システムにおいて、
前記通信装置は、複数の通信規格により前記外部装置と通信する通信手段を有し、
前記記憶手段は、前記通信装置による前記受信データの受信に用いられた前記通信規格を前記送受信情報に記憶し、
前記送信制御手段は、前記選択受信データを受信した前記通信装置により、前記選択受信データの受信に用いられた前記通信規格を用いて、前記送信データを前記選択受信データの送信元の前記外部装置に送信する通信システム。
【請求項６】
請求項１ないし５のいずれかに記載された通信システムにおいて、
前記送信データを前記選択受信データの送信元の前記外部装置に送信したことを記録する送信記録手段を有する通信システム。
【請求項７】
請求項１ないし６のいずれかに記載された通信システムにおいて、
前記通信装置は、前記記憶手段に記憶された前記受信データをユーザに選択させる選択手段を有し、
前記特定手段は、前記選択手段によるユーザの選択結果に基づいて、前記選択受信データを特定する通信システム。
【請求項８】
請求項７に記載された通信システムにおいて、
前記通信装置は、前記選択手段によりユーザが前記受信データを選択したときに、前記選択受信データとともに前記記憶手段に記憶された前記送受信情報を取得する送受信情報取得手段を有し、
前記送信制御手段は、前記送受信情報取得手段により取得された前記送受信情報に基づいて、前記送信データの送信を行う通信システム。
【請求項９】
請求項１ないし８のいずれかに記載された通信システムにおいて、
前記通信装置と通信して、前記通信装置の通信を管理する情報処理装置を備え、
前記情報処理装置は、前記記憶手段、前記特定手段、前記送信データ取得手段、及び、前記送信制御手段を備えた通信システム。
【請求項１０】
請求項９に記載された通信システムにおいて、
前記通信装置は、前記外部装置から前記受信データを受信したときに、前記受信データと前記送受信情報を前記情報処理装置に通知する受信データ及び送受信情報通知手段を有する通信システム。
【請求項１１】
請求項９又は１０に記載された通信システムにおいて、
前記通信装置は、ユーザにより入力された前記送信データを前記情報処理装置に通知する送信データ通知手段を有する通信システム。
【請求項１２】
外部装置と通信する１以上の通信装置の通信方法であって、
前記通信装置が前記外部装置から受信した受信データとともに、前記受信データの送信元を示す前記外部装置の送信元情報及び前記受信データを受信した通信装置の識別情報を含む送受信情報を記憶する工程と、
前記記憶手段に記憶された前記受信データの中からユーザにより選択された選択受信データを特定する工程と、
前記選択受信データの送信元の前記外部装置に送信する送信データを取得する工程と、
前記記憶手段に記憶された前記送受信情報に基づいて、前記１以上の通信装置のうち前記選択受信データを受信した通信装置から、前記送信データを前記選択受信データの送信元の外部装置に送信する工程と、
を有する通信方法。
【請求項１３】
外部装置と通信する１以上の通信装置と通信して、前記通信装置の通信を管理する情報処理装置であって、
前記通信装置が前記外部装置から受信した受信データとともに、前記受信データの送信元を示す前記外部装置の送信元情報及び前記受信データを受信した通信装置の識別情報を含む送受信情報を記憶する記憶手段と、
前記記憶手段に記憶された前記受信データの中からユーザにより選択された選択受信データを特定する特定手段と、
前記特定手段により特定された前記選択受信データの送信元の前記外部装置に送信する送信データを取得する送信データ取得手段と、
前記記憶手段に記憶された前記送受信情報に基づいて、前記１以上の通信装置のうち前記選択受信データを受信した通信装置から、前記送信データを前記選択受信データの送信元の外部装置に送信する送信制御手段と、
を備えた情報処理装置。
【請求項１４】
請求項１３に記載された情報処理装置において、
前記送信データが送信された外部装置の送信元情報及び前記１以上の通信装置のうち前記送信データの送信に用いた通信装置の識別情報を含む送信情報を蓄積する蓄積手段と、
前記送信情報に含まれる外部装置への送信データの送信要求を受け付けたとき、前記蓄積手段により蓄積された前記送信情報に基づいて、前記１以上の通信装置のうち該外部装置へのデータの送信に用いる通信装置を指定する指定手段と、を備え、
前記送信制御手段は、前記送信要求に基づいて、前記指定手段で指定された通信装置から送信データを送信する情報処理装置。
【請求項１５】
請求項１３又は１４に記載された情報処理装置において、
前記送信制御手段は、前記通信装置から前記送信データの送信が要求されたときに、前記選択受信データを受信した前記通信装置に、前記送信データの前記外部装置への送信を指示する指示手段を有する情報処理装置。
【請求項１６】
請求項１３ないし１５のいずれかに記載された情報処理装置において、
前記送信データを前記選択受信データの送信元の前記外部装置に送信したことを記録する送信記録手段を有する情報処理装置。
【請求項１７】
情報処理装置のコンピュータを、請求項１３ないし１６のいずれかに記載された情報処理装置の各手段として機能させるためのプログラム。
【発明の詳細な説明】
【技術分野】
【０００１】
本発明は、通信装置により外部装置と通信する通信システム、通信方法、情報処理装置、及び、プログラムに関する。
【背景技術】
【０００２】
ファクシミリ装置等の通信装置においては、複数の通信装置により通信システムを構成し、通信装置が外部装置から受信した受信データを通信システムの記憶手段に記憶することが行われている。また、このような通信システムを構成する装置として、従来、ファクシミリ装置が受信した受信データ（画像データ）と画像データの送信元のファクシミリ番号を同時に格納するサーバも知られている（特許文献１参照）。
【０００３】
特許文献１に記載された従来のサーバは、ファクシミリ番号に基づいて、画像データとファクシミリ番号を所定の格納先に格納して、画像データを管理する。サーバに格納された画像データとファクシミリ番号は、ユーザにより各種の用途に利用され、例えば、ファクシミリ番号を用いた画像データの送信元への返信にも利用される。
【０００４】
ところで、ファクシミリ装置により画像データを送信する際には、画像データとともに、送信元のファクシミリ番号が送信先のファクシミリ装置に通知される。画像データを受信したファクシミリ装置は、送信元のファクシミリ番号に基づいて、例えば、画像データの送信元のファクシミリ装置を特定し、或いは、予め設定された処理を行う。そのため、画像データの送信には、送信先のファクシミリ装置から以前に画像データを受信したファクシミリ装置を用いるのが望ましい。これにより、送信元のファクシミリ番号が、送信先のファクシミリ装置に登録されたファクシミリ番号（送信先のファクシミリ装置が以前の送信に用いたファクシミリ番号）になる。
【０００５】
これに対し、特許文献１に記載された従来のサーバにおいては、ユーザが、サーバに格納された画像データとファクシミリ番号を調べて、画像データの送信に用いるファクシミリ装置を判断する必要がある。その後、ユーザは、画像データの送信に用いると判断したファクシミリ装置まで移動して、そのファクシミリ装置により、画像データを送信先のファクシミリ装置に送信する。従って、この従来のサーバでは、以前に画像データを受信したファクシミリ装置による画像データの送信時に、ユーザに大きな負担がかかり、画像データの送信に手間を要する。
【発明の概要】
【発明が解決しようとする課題】
【０００６】
本発明は、前記従来の問題に鑑みなされたもので、その目的は、ユーザに負担をかけずに、受信データを受信した通信装置から受信データの送信元の外部装置に送信データを簡単に送信することである。
【課題を解決するための手段】
【０００７】
本発明は、外部装置と通信する１以上の通信装置を備えた通信システムであって、前記通信装置が前記外部装置から受信した受信データとともに、前記受信データの送信元を示す前記外部装置の送信元情報及び前記受信データを受信した通信装置の識別情報を含む送受信情報を記憶する記憶手段と、前記記憶手段に記憶された前記受信データの中からユーザにより選択された選択受信データを特定する特定手段と、前記特定手段により特定された前記選択受信データの送信元の前記外部装置に送信する送信データを取得する送信データ取得手段と、前記記憶手段に記憶された前記送受信情報に基づいて、前記１以上の通信装置のうち前記選択受信データを受信した通信装置から、前記送信データを前記選択受信データの送信元の外部装置に送信する送信制御手段と、を備えた通信システムである。
【発明の効果】
【０００８】
本発明によれば、ユーザに負担をかけずに、受信データを受信した通信装置から受信データの送信元の外部装置に送信データを簡単に送信することができる。
【図面の簡単な説明】
【０００９】
【図１】第１実施形態の通信システムの構成図である。
【図２】第１実施形態の子機のハードウェア構成を示すブロック図である。
【図３】第1実施形態の子機の機能ブロック図である。
【図４】第1実施形態の子機の機能ブロック図である。
【図５】第１実施形態の親機のハードウェア構成を示すブロック図である。
【図６】第1実施形態の親機の機能ブロック図である。
【図７】第1実施形態の通信システムによる通信手順を示すシーケンス図である。
【図８】第1実施形態の通信システムによる通信手順を示すフローチャートである。
【図９】第1実施形態の通信システムによる通信時の状況を示す図である。
【図１０】第２実施形態の通信システムによる通信手順を示すフローチャートである。
【図１１】第３実施形態の通信システムによる通信手順を示すフローチャートである。
【図１２】第４実施形態の通信システムによる通信手順を示すフローチャートである。
【図１３】第５実施形態の通信システムによる通信手順を示すフローチャートである。
【図１４】第６実施形態の通信システムによる通信手順を示すフローチャートである。
【図１５】第７実施形態の通信システムによる通信手順を示すフローチャートである。
【発明を実施するための形態】
【００１０】
本発明の通信システム、通信方法、及び、情報処理装置の一実施形態について、図面を参照して説明する。
本実施形態の通信システムは、１以上の通信装置と情報処理装置を備えており、通信装置により、通信手段を有する外部装置（外部通信装置）と通信する。通信装置は、外部装置と通信してデータを送受信する通信手段を有する各種の装置、例えば、ファクシミリ装置、ファクシミリ機能を有する画像形成装置、通信端末である。情報処理装置は、通信装置と通信して通信装置の通信を管理する通信管理装置であり、例えば、サーバ、パーソナルコンピュータ、サーバ機能を有する画像形成装置からなる。以下では、外部装置とファクシミリ通信する複数の通信装置と１つの情報処理装置を備えた通信システムを例にとり、複数の実施形態について説明する。
【００１１】
（第１実施形態）
図１は、第１実施形態の通信システム１の構成図である。
図示のように、通信システム１は、複数のＭＦＰ（Multi-Function Peripheral）（子機という）２と、サーバ機能を有する１つのＭＦＰ（サーバＭＦＰ）（親機という）３を備えている。ＭＦＰは、ファクシミリ、プリンタ、コピー、スキャナ等の複数の機能を有する複合機であり、ネットワーク４に接続され、ネットワーク４を介して通信する。子機２は、通信装置の一例であり、ファクシミリ機能により、ファクシミリ機能を有する複数の外部装置（図示せず）と通信して、文書の画像（画像データ）を外部装置と送受信する。親機３は、情報処理装置の一例であり、情報処理部３Ａを備えている。
【００１２】
子機２は、外部装置から画像データを受信するとともに、画像データの送信元の外部装置から外部装置のファクシミリ番号（ＦＡＸ番号）を取得する。続いて、子機２が、外部装置から受信した画像データ（受信データ）と所定の書誌情報を親機３に通知し、親機３が、受信データと書誌情報を記憶する。ここでは、書誌情報は、受信データの送信元を示す外部装置のＦＡＸ番号（送信元ＦＡＸ番号）、受信データを受信した子機２の識別子、受信データの受信日時、受信データのファイルナンバー、及び、受信データのページ数からなる。書誌情報の通知に伴い、親機３は、少なくとも外部装置のＦＡＸ番号及び子機２の識別子からなる受信データの送受信情報を取得して、受信データと送受信情報を関連付けて記憶する。
【００１３】
受信データに対する返信のために、送信用の画像データ（送信データ）を受信データの送信元の外部装置に送信するときには、ユーザは、子機２を使用して、送信データの送信を親機３に要求する。これに伴い、親機３は、送受信情報に基づいて、送信データの送信に用いる子機２を判断する。その際、親機３は、受信データに関連付けられた送受信情報から、子機２の識別子を取得して、送信データの送信に用いる子機２を判断するとともに、送信データを送信する送信先の外部装置のＦＡＸ番号を取得する。続いて、親機３は、取得した識別子を有する子機２により、取得したＦＡＸ番号の外部装置に送信データを送信するように、通信システム１の通信を制御する。これにより、送信データが、受信データを受信した子機２により、受信データの送信元の外部装置に送信される。
【００１４】
なお、この通信システム１においては、受信データは受信画像データであり、送信データは送信画像データである。また、外部装置のＦＡＸ番号は、受信データの送信元を示す外部装置の送信元情報の一例であり、子機２の識別子は、受信データを受信した子機２の識別情報の一例である。ここでは、外部装置のＦＡＸ番号は、外部装置が接続された通信回線において外部装置が用いるＦＡＸ番号、又は、外部装置の被呼端末識別信号（ＣＳＩ：Called Subscriber Identification）である。また、子機２の識別子は、子機２のＩＰ（Internet Protocol）アドレスである。
【００１５】
次に、通信システム１、及び、通信システム１による通信について詳しく説明する。複数の子機２は、同じ構成を有しており、通信システム１内で同様に機能する。従って、全ての子機２が受信データを受信するとともに、ユーザは任意の子機２を使用して送信データの送信を親機３に要求することができる。以下の説明では、受信データを受信する子機２を受信子機２Ａといい、ユーザが使用する子機２を使用子機２Ｂという。
【００１６】
図２は、第１実施形態の子機２のハードウェア構成を示すブロック図である。
図示のように、子機２は、撮像部１２１と、印刷部１２２と、コントローラ２０１と、オペレーションパネル２０２と、ファクシミリコントロールユニット（ＦＣＵ）２０３を備えている。撮像部１２１は、原稿をスキャンして、画像データを取得する。印刷部１２２は、画像データに基づいて、画像を用紙に印刷する。
【００１７】
コントローラ２０１の構成に関して、ＣＰＵ（Central Processing Unit）２１１は、種々の情報処理を行う。ＡＳＩＣ（Application Specific Integrated Circuit）２１２は、種々の画像処理を行う。ＮＢ２２１は、コントローラ２０１のノースブリッジである。ＳＢ２２２は、コントローラ２０１のサウスブリッジである。ＭＥＭ−Ｐ２３１は、子機２のシステムメモリである。ＭＥＭ−Ｃ２３２は、子機２のローカルメモリである。ＨＤＤ（ハードディスクドライブ）２３３は、子機２の記憶装置である。メモリカードスロット２３４は、メモリカード２３５をセットするためのスロットである。ＮＩＣ（ネットワークインタフェースコントローラ）２４１は、ＭＡＣ（Media Access Control）アドレスによるネットワーク通信用のコントローラである。ＵＳＢ（Universal Serial Bus）デバイス２４２は、ＵＳＢ規格の接続端子と接続されるデバイスである。ＩＥＥＥ１３９４デバイス２４３は、ＩＥＥＥ１３９４規格の接続端子と接続されるデバイスである。セントロニクスデバイス２４４は、セントロニクス仕様の接続端子と接続されるデバイスである。
【００１８】
子機２のオペレーションパネル２０２は、ユーザが子機２の操作に使用する操作部と、ユーザの操作に応じて各種の画面を表示する表示部を有する。また、子機２は、ＣＰＵ２１１によりプログラムを実行することで得られる機能実現手段として、以下説明する複数の手段を備えている。
【００１９】
図３は、第1実施形態の子機２の機能ブロック図であり、子機２が有する受信子機２Ａとしての複数の機能を示している。
図示のように、子機２（受信子機２Ａ）は、ＦＡＸ受信手段１０と、ＦＡＸ送信手段１１と、ＦＡＸ番号記憶手段１２と、情報通知手段１３を備えている。ＦＡＸ受信手段１０は、外部装置からファクシミリ情報（ＦＡＸ情報）を受信して、ＦＡＸ情報に含まれる受信データ（受信画像データ）と、受信データの送信元を示す外部装置のＦＡＸ番号を取得する。
【００２０】
ＦＡＸ送信手段１１は、親機３から送信データ（送信画像データ）の送信を指示されたときに、親機３から通知されたＦＡＸ番号を用いて、親機３から通知された送信データを外部装置に送信する。ＦＡＸ番号記憶手段１２は、ＦＡＸ受信手段１０により取得された受信データの送信元を示す外部装置のＦＡＸ番号を記憶する。情報通知手段１３は、ＦＡＸ受信手段１０により取得（受信）された受信データと、受信データの送信元を示す外部装置のＦＡＸ番号及び自機の識別子を含む送受信情報を親機３に通知する。
【００２１】
図４は、第1実施形態の子機２の機能ブロック図であり、子機２が有する使用子機２Ｂとしての複数の機能を示している。
図示のように、子機２（使用子機２Ｂ）は、閲覧要求通知手段２０と、返信対象通知手段２１と、原稿読み取り手段２２と、送信要求通知手段２３を備えている。閲覧要求通知手段２０は、ユーザの閲覧要求に基づいて、親機３が記憶する受信データの閲覧要求を親機３に通知する。
【００２２】
返信対象通知手段２１は、ユーザの選択に基づいて、親機３に記憶された受信データの中からユーザにより選択された受信データ（選択受信データ）を特定し、選択受信データを返信対象の受信データとして親機３に通知する。原稿読み取り手段２２は、撮像部１２１により、ユーザがセットした送信原稿をスキャンして、送信原稿を読み取る。送信要求通知手段２３は、ユーザの送信要求に基づいて、原稿読み取り手段２２により取得した送信データを親機３に通知し、送信データの外部装置への送信要求を親機３に通知する。
【００２３】
図５は、第１実施形態の親機３のハードウェア構成を示すブロック図である。
図示のように、親機３は、ＣＰＵ３０と、ＲＡＭ（Random Access Memory）３１と、ＲＯＭ（Read Only Memory）３２と、ＨＤＤ３３と、ネットワークＩ／Ｆ（インターフェース）３４を備えている。親機３の各部３０〜３４は、バス３５により接続され、ＣＰＵ３０は、各部３１〜３４を制御して情報処理を行う。ＲＡＭ３１は、ＣＰＵ３０による情報処理に必要なデータを一時的に記憶し、ＲＯＭ３２は、ＣＰＵ３０により実行されるプログラム等を記憶する。ＨＤＤ３３は、親機３の記憶部（記憶手段）であり、ネットワークＩ／Ｆ３４は、親機３をネットワーク４に接続する。また、親機３は、ＣＰＵ３０によりプログラムを実行することで得られる機能実現手段として、以下説明する複数の手段を備えている。
【００２４】
図６は、第1実施形態の親機３の機能ブロック図である。
図示のように、親機３は、情報管理手段４０と、情報共有手段４１と、閲覧許可手段４２と、返信対象記憶手段４３と、送信制御手段４４を備えている。情報管理手段４０は、受信子機２Ａの情報通知手段１３から通知された受信データと受信データの送受信情報をＨＤＤ３３に記憶して、ＨＤＤ３３に記憶された受信データと送受信情報を管理する。その際、情報管理手段４０は、例えば、送受信情報に基づいて、受信データと送受信情報を所定のファイルに分類して、受信データと送受信情報を管理する。
【００２５】
ＨＤＤ３３に記憶された受信データと送受信情報は、情報共有手段４１により通信システム１内で共有される。閲覧許可手段４２は、使用子機２Ｂの閲覧要求通知手段２０により受信データの閲覧が要求されたときに、使用子機２Ｂに、ＨＤＤ３３に記憶された受信データの閲覧を許可する。閲覧許可手段４２による許可に基づいて、使用子機２Ｂは、情報共有手段４１を介してＨＤＤ３３にアクセスする。返信対象記憶手段４３は、使用子機２Ｂの返信対象通知手段２１から通知された選択受信データが返信対象の受信データであることを記憶する。
【００２６】
送信制御手段４４は、使用子機２Ｂの送信要求通知手段２３により送信データの送信が要求されたときに、送信データの送信を制御して、使用子機２Ｂから取得した送信データの送信を受信子機２Ａに指示する。その際、送信制御手段４４は、ＨＤＤ３３に記憶された送受信情報から、受信子機２Ａの識別子と外部装置のＦＡＸ番号を取得し、識別子により識別される受信子機２Ａに、外部装置のＦＡＸ番号を送信データの送信先として送信データとともに通知する。
【００２７】
次に、通信システム１による通信手順について具体的に説明する。この通信手順は、受信データを記憶して蓄積する受信データの記憶手順と、送信データを外部装置に送信する送信データの送信手順の２つの手順からなる。
図７は、第1実施形態の通信システム１による通信手順を示すシーケンス図であり、受信データの記憶手順と送信データの送信手順を１つの図にして示している。図８は、第1実施形態の通信システム１による通信手順を示すフローチャートであり、図７のシーケンス図により表される通信手順をフローチャートにして示している。また、図８Ａは、受信データの記憶手順を示すフローチャートであり、図８Ｂは、送信データの送信手順を示すフローチャートである。図９は、第1実施形態の通信システム１による通信時の状況を示す図である。
【００２８】
図示のように、受信子機２ＡのＦＡＸ受信手段１０が外部装置５からＦＡＸ情報を受信したときに（図７：Ｓ１０、図８：Ｓ２０）、受信子機２ＡのＦＡＸ番号記憶手段１２が受信データの送信元を示す外部装置のＦＡＸ番号を記憶する。また、受信子機２Ａの情報通知手段１３は、外部装置５から受信した受信データ（受信画像データ）と受信データの送受信情報（外部装置５のＦＡＸ番号、受信子機２Ａの識別子）を親機３に通知する（図７：Ｓ１１、図８：Ｓ２１）。このように、情報通知手段１３は、受信子機２Ａが受信データを受信したときに、受信データと送受信情報を親機３に通知する受信データ及び送受信情報通知手段である（図９Ａ参照）。
【００２９】
情報通知手段１３に対応して、親機３の情報管理手段４０は、受信子機２Ａが受信データを受信したときに、受信子機２Ａから受信データと送受信情報を取得する受信データ及び送受信情報取得手段である。情報管理手段４０は、取得された受信データと送受信情報を親機３のＨＤＤ３３に記憶する（図７：Ｓ１２、図８：Ｓ２２）。これにより、ＨＤＤ３３は、受信子機２Ａが受信した受信データとともに、受信データの送信元を示す外部装置５のＦＡＸ番号及び受信データを受信した受信子機２Ａの識別子を含む送受信情報を記憶する。また、各受信子機２Ａが受信データを受信する度に、以上の受信データの記憶手順が繰り返されて、受信データと送受信情報がＨＤＤ３３に記憶される。これにより、各受信子機２Ａから通知された受信データと送受信情報がＨＤＤ３３に蓄積される。
【００３０】
送信データを外部装置５に送信するときには（図９Ｂ参照）、ユーザ６は、使用子機２Ｂのオペレーションパネル２０２を操作して、親機３のＨＤＤ３３に記憶された受信データの閲覧を要求する（図７：Ｓ１００、図８：Ｓ２００）。これに伴い、使用子機２Ｂは、閲覧要求通知手段２０により親機３に閲覧要求を通知して、受信データの閲覧を親機３に要求する（図７：Ｓ１０１）。また、使用子機２Ｂは、受信データ提示手段（図示せず）により、親機３のＨＤＤ３３にアクセスして受信データを参照し（図７：Ｓ１０２）、ＨＤＤ３３に記憶された受信データをユーザ６に提示する（図７：Ｓ１０３、図８：Ｓ２０１）。その際、受信データ提示手段は、例えば、オペレーションパネル２０２に、受信データに関する情報（受信データのサムネイル、受信データの名称等）を表示して、受信データをユーザ６に提示する。
【００３１】
次に、ユーザ６は、使用子機２Ｂのオペレーションパネル２０２を操作して、提示された受信データの中から返信対象の受信データを選択する（図７：Ｓ１０４、図８：Ｓ２０２）。受信データの選択に関し、使用子機２Ｂは、オペレーションパネル２０２により、親機３のＨＤＤ３３に記憶された受信データをユーザ６に選択させる選択手段（図示せず）を有し、ユーザ６は、この選択手段により受信データを選択する。続いて、使用子機２Ｂの返信対象通知手段２１が、選択手段によるユーザ６の選択結果、即ち、返信対象の受信データがどの受信データであるのかを親機３に通知する（図７：Ｓ１０５。図８：Ｓ２０３）。このように、返信対象通知手段２１は、選択結果通知手段でもあり、ユーザ６の選択に基づいて、ＨＤＤ３３に記憶された受信データの中からユーザ６により選択された選択受信データを親機３に通知する。
【００３２】
親機３の送信制御手段４４は、ＨＤＤ３３に記憶された受信データに対する選択を受け付ける受付手段であり、上記した選択手段を介して、ＨＤＤ３３に記憶された受信データの中からの選択受信データの選択を受け付ける。また、送信制御手段４４は、選択受信データの特定手段であり、ユーザ６の選択に基づいて、ＨＤＤ３３に記憶された1以上の受信データの中から、ユーザ６により選択された選択受信データを特定する。ここでは、返信対象通知手段２１によりユーザ６の選択結果が通知されたときに、送信制御手段４４は、上記した選択手段によるユーザ６の選択結果に基づいて、選択受信データを特定する。続いて、親機３の返信対象記憶手段４３が、選択受信データがユーザ６により選択された返信対象の受信データであることを記憶する（図７：Ｓ１０６、図８：Ｓ２０４）。
【００３３】
その後（図９Ｃ参照）、ユーザ６は、送信原稿を使用子機２Ｂにセットし、オペレーションパネル２０２のスタートボタンを押して、送信データの取得と送信データの送信を使用子機２Ｂに要求する（図７：Ｓ１０７、図８：Ｓ２０５）。ユーザ６の要求に基づき、使用子機２Ｂの原稿読み取り手段２２は、送信原稿をスキャンして（図７：Ｓ１０８、図８：Ｓ２０６）、選択受信データに対する送信（返信）用の送信データを取得する。この送信データは、送信原稿の画像データである送信画像データからなる。
【００３４】
原稿読み取り手段２２は、送信データの取得手段、及び、送信データの入力手段の一例である。ユーザ６が、原稿読み取り手段２２により送信データを使用子機２Ｂに入力して、原稿読み取り手段２２が、送信データを取得する。ユーザ６により入力された送信データ（取得された送信データ）は、送信データ通知手段である送信要求通知手段２３により、親機３に通知される。親機３の送信制御手段４４は、送信データ取得手段であり、送信要求通知手段２３による送信データの通知に伴い、使用子機２Ｂから、選択受信データの送信元の外部装置５に送信する送信データを取得する。また、送信要求通知手段２３は、送信データの送信要求手段でもあり、親機３に送信要求を通知して、送信データの外部装置５への送信を親機３に要求する（図７：Ｓ１０９、図８：Ｓ２０７）。
【００３５】
使用子機２Ｂから送信データの送信が要求されたときに、ＨＤＤ３３に記憶された送受信情報に基づいて、親機３の送信制御手段４４が、送信データの送信条件を判断する（図７：Ｓ１１０）。また、送信制御手段４４は、送信データの送信を指示する指示手段であり、選択受信データを受信した受信子機２Ａに、送信データの外部装置５への送信を指示する（図７：Ｓ１１１、図８：Ｓ２０８）。具体的には、送受信情報取得手段である送信制御手段４４が、選択受信データとともにＨＤＤ３３に記憶された送受信情報を取得する。これにより、送信制御手段４４は、ＨＤＤ３３から、選択受信データの送信元の外部装置５のＦＡＸ番号と、選択受信データを受信した受信子機２Ａの識別子を取得し、送信データの送信に用いる受信子機２Ａと送信データの送信先のＦＡＸ番号を判断する。
【００３６】
次に、送信制御手段４４は、取得した識別子を有する受信子機２Ａに、外部装置５に送信する送信データと取得された外部装置５のＦＡＸ番号を通知するとともに、通知したＦＡＸ番号の外部装置５に送信データを送信するように指示する。受信子機２ＡのＦＡＸ送信手段１１は、送信制御手段４４による送信指示に基づいて、送信データを、送信制御手段４４から通知されたＦＡＸ番号を用いて、送信先として指示された外部装置５に送信する（図７：Ｓ１１２、図８：Ｓ２０９）。このように、送信制御手段４４は、ＨＤＤ３３に記憶された送受信情報に基づいて、選択受信データを受信した受信子機２Ａにより、送信データを、選択受信データの送信元の外部装置５に送信する。これにより、複数の子機２（受信子機２Ａ）のうちの選択受信データを受信した受信子機２Ａから、送信データが選択受信データの送信元の外部装置５に送信される。
【００３７】
以上説明した通信システム１、親機３、及び、通信システム１と親機３における通信方法では、ユーザ６に負担をかけずに、受信データ（選択受信データ）を受信した受信子機２Ａから受信データの送信元の外部装置５に送信データを簡単に送信することができる。その際、ユーザ６が受信子機２Ａと外部装置５を判断する必要はなく、受信データに対する返信も簡単に行うことができる。また、ユーザ６は、受信データを受信した受信子機２Ａまで移動することなく、任意の子機２を使用して、送信データを外部装置５に送信することができる。
【００３８】
なお、複数の子機２において、全ての子機２が、受信子機２Ａ及び使用子機２Ｂとしての機能を有しており、通信システム１内で受信子機２Ａ及び使用子機２Ｂとして機能する。親機３が受信子機２Ａ及び使用子機２Ｂとしての機能を有する場合には、親機３も通信システム１内で受信子機２Ａ及び使用子機２Ｂとして機能する。また、選択受信データを受信した受信子機２Ａとユーザ６が送信データの送信に使用する使用子機２Ｂは、異なる子機２であってもよく、同じ子機２であってもよい。加えて、受信データに対する返信以外の目的で、上記と同様に、送信データを選択受信データの送信元の外部装置５に送信してもよい。
【００３９】
次に、他の実施形態（第２〜第７実施形態）の通信システム１について説明する。第２〜第７実施形態の通信システム１は、基本的には、第１実施形態の通信システム１と同様に構成されて、同様の効果を発揮する。従って、以下では、既に説明した事項と相違する事項について詳しく説明する。また、第１〜第７実施形態の通信システム１において、同じ構成には同じ符号を付す。
【００４０】
（第２実施形態）
図１０は、第２実施形態の通信システム１による通信手順を示すフローチャートである。
図示のように、図１０に示す通信手順では、送信データを送信（Ｓ３０９）した後の手順（Ｓ３１０）のみが第１実施形態において説明した図８に示す通信手順と相違し、その他の手順は図８に示す通信手順と同じになっている。即ち、最後の手順（Ｓ３１０）よりも前の手順（Ｓ３０〜Ｓ３２、Ｓ３００〜Ｓ３０９）は、図８に示す手順（Ｓ２０〜Ｓ２２、Ｓ２００〜Ｓ２０９）と同じである。
【００４１】
ここでは、親機３の情報管理手段４０は、送信データの送信情報をＨＤＤ３３に蓄積する蓄積手段でもある。送信情報は、送信データが送信された送信先の外部装置５のＦＡＸ番号、及び、複数の子機２（受信子機２Ａ）のうち、送信データの送信に用いた受信子機２Ａの識別子を含む。送信データの外部装置５への送信が完了したときに（Ｓ３０９）、情報管理手段４０は、これらＦＡＸ番号と識別子を、ＨＤＤ３３に設定された親機３のアドレス帳に登録して（Ｓ３１０）、ＦＡＸ番号と識別子を関連付けてＨＤＤ３３に記憶する。また、情報管理手段４０は、送信データを外部装置５に送信する度に、ＦＡＸ番号と識別子を関連付けてＨＤＤ３３に記憶して、ＦＡＸ番号及び識別子を含む送信情報を蓄積する。
【００４２】
受信データの選択等を行わずに、外部装置５に送信データを送信するときには、ユーザ６は、使用子機２Ｂにより、外部装置５のＦＡＸ番号を指定して、送信データを入力する。続いて、ユーザ６の送信要求に基づいて、使用子機２Ｂの送信要求通知手段２３は、ユーザ６により指定された外部装置５のＦＡＸ番号と、ユーザ６により入力された送信データを親機３に通知する。また、送信要求通知手段２３は、通知したＦＡＸ番号の外部装置５に送信データを送信するよう親機３に要求する。この送信要求に基づいて、親機３の送信制御手段４４は、アドレス帳の送信情報から、外部装置５のＦＡＸ番号に関連付けられた受信子機２Ａの識別子を取得し、取得した識別子を有する受信子機２Ａを送信データの送信に用いる子機２に指定する。このように、送信制御手段４４は、子機２の指定手段であり、送信情報に含まれる外部装置５（外部装置５のＦＡＸ番号）への送信データの送信要求を受け付けたときに、子機２を指定する。その際、送信制御手段４４は、情報管理手段４０により蓄積された送信情報に基づいて、複数の子機２Ａのうちから、外部装置５へのデータの送信に用いる子機２を指定する。
【００４３】
次に、送信制御手段４４は、送信要求に基づいて、指定された子機２から送信データを送信する。その際、送信制御手段４４は、指定した子機２（受信子機２Ａ）に、送信データと外部装置５のＦＡＸ番号を通知し、通知したＦＡＸ番号の外部装置５に送信データを送信するように指示する。受信子機２ＡのＦＡＸ送信手段１１は、送信制御手段４４による送信指示に基づいて、送信データを、送信制御手段４４から通知されたＦＡＸ番号を用いて外部装置５に送信する。
【００４４】
以上のように送信データを送信することで、受信データを受信した受信子機２Ａから受信データの送信元の外部装置５に、送信データを簡単に送信することができる。また、返信以外の目的で送信データを送信するときにも、適切な子機２により送信データを外部装置５に送信することができる。
【００４５】
（第３実施形態）
図１１は、第３実施形態の通信システム１による通信手順を示すフローチャートである。
図示のように、図１１に示す通信手順では、選択受信データの通知（Ｓ４０３）よりも後の手順が、第１実施形態において説明した図８に示す通信手順と相違する。それ以前の手順（Ｓ４０〜Ｓ４２、Ｓ４００〜Ｓ４０３）は、図８に示す手順（Ｓ２０〜Ｓ２２、Ｓ２００〜Ｓ２０３）と同じである。
【００４６】
ここでは、ユーザ６がオペレーションパネル２０２（選択手段）により受信データを選択して、選択受信データが親機３に通知（Ｓ４０３）された後、親機３の情報管理手段４０が、選択受信データとともにＨＤＤ３３に記憶された送受信情報を取得する。続いて、情報管理手段４０は、取得した送受信情報を使用子機２Ｂに通知し（Ｓ４０４）、使用子機２Ｂの送信要求通知手段２３は、親機３から送受信情報を取得する。従って、送信要求通知手段２３は、送受信情報取得手段でもあり、選択手段によりユーザ６が受信データを選択したときに、選択受信データとともにＨＤＤ３３に記憶された送受信情報を取得する。これにより、送信要求通知手段２３は、選択受信データの送信元の外部装置５のＦＡＸ番号と、選択受信データを受信した受信子機２Ａの識別子を取得する。
【００４７】
次に、ユーザ６は、送信原稿を使用子機２Ｂにセットし、スタートボタンを押して、送信データの取得と送信データの送信を使用子機２Ｂに要求する（Ｓ４０５）。ユーザ６の要求に基づき、使用子機２Ｂの原稿読み取り手段２２は、送信原稿をスキャンして（Ｓ４０６）、送信データを取得する。続いて、送信要求通知手段２３が、送信データを親機３に通知して、送信データの外部装置５への送信を親機３に要求する（Ｓ４０７）。その際、送信要求通知手段２３は、取得した識別子を有する受信子機２Ａにより、取得したＦＡＸ番号の外部装置５に送信データを送信するよう親機３に要求する。
【００４８】
親機３の送信制御手段４４は、送信要求通知手段２３により指定された受信子機２Ａに、送信データと送信データの送信に用いるＦＡＸ番号を通知するとともに、通知したＦＡＸ番号の外部装置５に送信データを送信するように指示する（Ｓ４０８）。受信子機２ＡのＦＡＸ送信手段１１は、送信制御手段４４による送信指示に基づいて、送信データを、送信制御手段４４から通知されたＦＡＸ番号を用いて、外部装置５に送信する（Ｓ４０９）。
【００４９】
以上のように、送信制御手段４４は、使用子機２Ｂの送信要求通知手段２３により取得された送受信情報に基づいて、送信データの送信を制御して、送信データの送信を行う。送信要求通知手段２３が送受信情報を取得することで、使用子機２Ｂにおいて、送受信情報を管理できるとともに、送受信情報を利用して送信データを管理することもできる。
【００５０】
（第４実施形態）
図１２は、第４実施形態の通信システム１による通信手順を示すフローチャートである。
図示のように、図１２に示す通信手順では、送信データを送信（Ｓ５０９）した後の手順（Ｓ５１０）のみが第３実施形態において説明した図１１に示す通信手順と相違し、その他の手順は図１１に示す通信手順と同じになっている。即ち、最後の手順（Ｓ５１０）よりも前の手順（Ｓ５０〜Ｓ５２、Ｓ５００〜Ｓ５０９）は、図１１に示す手順（Ｓ４０〜Ｓ４２、Ｓ４００〜Ｓ４０９）と同じである。
【００５１】
ここでは、使用子機２Ｂは、送信データの送信情報をＨＤＤ２３３に蓄積する蓄積手段（図示せず）を有する。送信情報は、第２実施形態において説明したように、送信データが送信された送信先の外部装置５のＦＡＸ番号、及び、複数の子機２（受信子機２Ａ）のうち、送信データの送信に用いた受信子機２Ａの識別子を含む。送信データの外部装置５への送信が完了したときに（Ｓ５０９）、蓄積手段は、送信要求通知手段２３により取得された外部装置５のＦＡＸ番号と受信子機２Ａの識別子を、ＨＤＤ２３３に設定された使用子機２Ｂのアドレス帳に登録する（Ｓ５１０）。これにより、蓄積手段は、ＦＡＸ番号と識別子を関連付けてＨＤＤ２３３に記憶し、ＦＡＸ番号及び識別子を含む送信情報を蓄積する。
【００５２】
受信データの選択等を行わずに、外部装置５に送信データを送信するときには、ユーザ６は、使用子機２Ｂにより、外部装置５のＦＡＸ番号を指定し、送信データを入力して、送信データの送信を要求する。続いて、使用子機２Ｂの送信要求通知手段２３は、ユーザ６により指定された外部装置５のＦＡＸ番号に基づいて、アドレス帳の送信情報から、外部装置５のＦＡＸ番号に関連付けられた受信子機２Ａの識別子を取得する。この取得された識別子を有する受信子機２Ａが、送信要求通知手段２３により、送信データの送信に用いる子機２に指定される。従って、送信要求通知手段２３は、子機２の指定手段であり、送信情報に含まれる外部装置５（外部装置５のＦＡＸ番号）への送信データの送信要求を受け付けたときに、子機２を指定する。その際、送信要求通知手段２３は、蓄積手段により蓄積された送信情報に基づいて、複数の子機２Ａのうちから、外部装置５へのデータの送信に用いる子機２を指定する。
【００５３】
次に、送信要求通知手段２３は、親機３に、送信データ、指定した子機２（受信子機２Ａ）の識別子、及び、外部装置５のＦＡＸ番号を通知する。また、送信要求通知手段２３は、通知した識別子を有する受信子機２Ａにより、通知したＦＡＸ番号の外部装置５に送信データを送信するよう親機３に要求する。その後、親機３の送信制御手段４４は、送信要求に基づいて、指定された受信子機２Ａから送信データを送信する。その際、送信制御手段４４が、受信子機２Ａに、送信データと外部装置５のＦＡＸ番号を通知し、通知したＦＡＸ番号の外部装置５に送信データを送信するように指示する。受信子機２ＡのＦＡＸ送信手段１１は、送信制御手段４４による送信指示に基づいて、送信データを、送信制御手段４４から通知されたＦＡＸ番号を用いて外部装置５に送信する。このようにすることで、第２実施形態で説明した効果と同様の効果が得られる。
【００５４】
（第５実施形態）
図１３は、第５実施形態の通信システム１による通信手順を示すフローチャートである。
図示のように、図１３に示す通信手順（Ｓ６０〜Ｓ６２、Ｓ６００〜Ｓ６０９）は、一部の手順を除いて、第１実施形態において説明した図８に示す通信手順（Ｓ２０〜Ｓ２２、Ｓ２００〜Ｓ２０９）と同じになっている。以下では、図１３に示す通信手順について、図８に示す通信手順と相違する点を説明する。
【００５５】
ここでは、子機２は、通信回線を介した外部装置５との通信時に用いる複数のＦＡＸ番号を有する。ＦＡＸ番は、通信回線用の子機２の通信番号の一例であり、子機２に予め設定されている。受信子機２ＡのＦＡＸ受信手段１０が、所定のＦＡＸ番号を用いて、外部装置５からＦＡＸ情報を受信したときに（Ｓ６０）、情報通知手段１３は、受信データと受信データの送受信情報を親機３に通知する（Ｓ６１）。この送受信情報は、受信データの送信元を示す外部装置５のＦＡＸ番号（送信元ＦＡＸ番号）、受信データを受信した受信子機２Ａの識別子、及び、受信子機２Ａによる受信データの受信に用いられた受信子機２ＡのＦＡＸ番（受信ＦＡＸ番号）を含む。親機３の情報管理手段４０は、受信子機２Ａから取得した受信データと送受信情報を親機３のＨＤＤ３３に記憶する（Ｓ６２）。これにより、ＨＤＤ３３は、受信子機２Ａの受信ＦＡＸ番号を送受信情報に記憶する。
【００５６】
送信データの送信時には、親機３の送信制御手段４４は、選択受信データとともにＨＤＤ３３に記憶された送受信情報を取得し、送受信情報に基づいて、送信データの外部装置５への送信を指示する（Ｓ６０８）。その際、送信制御手段４４は、受信子機２Ａに、送信データ、送信元ＦＡＸ番号、及び、受信ＦＡＸ番号を通知するとともに、通知した受信ＦＡＸ番号により、通知した送信元ＦＡＸ番号の外部装置５に送信データを送信するように指示する。受信子機２ＡのＦＡＸ送信手段１１は、送信制御手段４４から通知された受信ＦＡＸ番号に基づいて、通信回線におけるＦＡＸ番号を選択し、選択されたＦＡＸ番号により、送信データを外部装置５に送信する（Ｓ６０９）。
【００５７】
以上のように、送信制御手段４４は、送受信情報に基づいて、選択受信データを受信した受信子機２Ａにより、選択受信データの受信に用いられた受信子機２Ａの受信ＦＡＸ番号を用いて、送信データを、選択受信データの送信元の外部装置５に送信する。これにより、子機２が複数のＦＡＸ番号を有する場合でも、適切なＦＡＸ番号により、外部装置５に送信データを簡単に送信することができる。また、例えば、外部装置５に登録されたＦＡＸ番号を用いて、送信データを外部装置５に送信することができる。
【００５８】
（第６実施形態）
図１４は、第６実施形態の通信システム１による通信手順を示すフローチャートである。
図示のように、図１４に示す通信手順（Ｓ７０〜Ｓ７２、Ｓ７００〜Ｓ７０９）は、一部の手順を除いて、第１実施形態において説明した図８に示す通信手順（Ｓ２０〜Ｓ２２、Ｓ２００〜Ｓ２０９）と同じになっている。以下では、図１４に示す通信手順について、図８に示す通信手順と相違する点を説明する。
【００５９】
ここでは、子機２は、複数の通信規格（Ｇ３、Ｇ４、ＩＰ−ＦＡＸ等）により、通信回線を介して、外部装置５と通信する通信手段（ＦＡＸ受信手段１０、ＦＡＸ送信手段１１）を有する。受信子機２ＡのＦＡＸ受信手段１０が、所定の通信規格を用いて、外部装置５からＦＡＸ情報を受信したときに（Ｓ７０）、情報通知手段１３は、受信データと受信データの送受信情報を親機３に通知する（Ｓ７１）。この送受信情報は、受信データの送信元を示す外部装置５のＦＡＸ番号、受信データを受信した受信子機２Ａの識別子、及び、受信子機２Ａによる受信データの受信に用いられた受信子機２Ａの通信規格（受信規格）を含む。親機３の情報管理手段４０は、受信子機２Ａから取得した受信データと送受信情報を親機３のＨＤＤ３３に記憶する（Ｓ７２）。これにより、ＨＤＤ３３は、受信子機２Ａの受信規格を送受信情報に記憶する。
【００６０】
送信データの送信時には、親機３の送信制御手段４４は、選択受信データとともにＨＤＤ３３に記憶された送受信情報を取得し、送受信情報に基づいて、送信データの外部装置５への送信を指示する（Ｓ７０８）。その際、送信制御手段４４は、受信子機２Ａに、送信データ、外部装置５のＦＡＸ番号、及び、受信子機２Ａの受信規格を通知するとともに、通知した受信規格により、通知したＦＡＸ番号の外部装置５に送信データを送信するように指示する。受信子機２ＡのＦＡＸ送信手段１１は、送信制御手段４４から通知された受信規格に基づいて、通信回線における通信規格を選択し、選択された通信規格により、送信データを外部装置５に送信する（Ｓ７０９）。
【００６１】
以上のように、送信制御手段４４は、送受信情報に基づいて、選択受信データを受信した受信子機２Ａにより、選択受信データの受信に用いられた受信子機２Ａの通信規格を用いて、送信データを、選択受信データの送信元の外部装置５に送信する。これにより、子機２が複数の通信規格により通信する場合でも、受信データの受信に用いられた通信規格により、外部装置５に送信データを簡単に送信することができる。また、外部装置５の通信規格に合わせて、送信データを外部装置５に送信することができる。
【００６２】
（第７実施形態）
図１５は、第７実施形態の通信システム１による通信手順を示すフローチャートである。
図示のように、図１５に示す通信手順では、送信データを送信（Ｓ８０９）した後の手順（Ｓ８１０）のみが第１実施形態において説明した図８に示す通信手順と相違し、その他の手順は図８に示す通信手順と同じになっている。即ち、最後の手順（Ｓ８１０）よりも前の手順（Ｓ８０〜Ｓ８２、Ｓ８００〜Ｓ８０９）は、図８に示す手順（Ｓ２０〜Ｓ２２、Ｓ２００〜Ｓ２０９）と同じである。
【００６３】
ここでは、親機３の情報管理手段４０は、送信記録手段でもあり、送信データが外部装置５に送信されたときに、選択受信データの送信元の外部装置５に送信データを送信したことをＨＤＤ３３に記録する。具体的には、送信データの外部装置５への送信が完了したときに（Ｓ８０９）、受信子機２Ａは、送信完了を親機３に通知する。これに伴い、情報管理手段４０は、選択受信データとともに記憶された送受信情報に、送信データを送信したことを示す送信済み情報を付加して、送信データの送信済みをＨＤＤ３３の送受信情報に記録する（Ｓ８１０）。このようにすることで、ユーザ６がＨＤＤ３３の記録をみたときに、送信データを送信したか否かを容易に判断でき、受信データに対して返信したか否かを正確に把握することもできる。
【００６４】
以上、本発明の通信システム１、情報処理装置である親機３、及び、通信方法の複数の実施形態について説明したが、本発明は、親機３のコンピュータを、以上説明した親機３の各手段として機能させるためのプログラムとして実現することもできる。また、以上の各実施形態で説明した通信システム１は本発明の通信システムの一例であり、通信システムは用途や目的に応じた様々なシステム構成により実現することができる。通信システムにおいて、第１〜第７実施形態を任意に組み合わせて実施してもよい。
【００６５】
なお、各実施形態では、外部装置５の送信元情報は外部装置５のＦＡＸ番号であり、通信装置である子機２の識別情報は子機２の識別子である。ただし、外部装置５の送信元情報は、上記した例に限定されず、外部装置５に送信データを送信可能な情報であればよい。同様に、子機２の識別情報は、上記した例に限定されず、子機２を識別可能な情報であればよい。子機２の識別情報は、例えば、子機２のＦＡＸ番号、又は、子機２のシリアルナンバであってもよい。また、受信データと送信データは画像データに限定されず、受信データと送信データには、通信システムにより通信される種々のデータを採用できる。
【符号の説明】
【００６６】
１・・・通信システム、２・・・子機、２Ａ・・・受信子機、２Ｂ・・・使用子機、３・・・親機、３Ａ・・・情報処理部、４・・・ネットワーク、５・・・外部装置、６・・・ユーザ、１０・・・ＦＡＸ受信手段、１１・・・ＦＡＸ送信手段、１２・・・ＦＡＸ番号記憶手段、１３・・・情報通知手段、２０・・・閲覧要求通知手段、２１・・・返信対象通知手段、２２・・・原稿読み取り手段、２３・・・送信要求通知手段、３０・・・ＣＰＵ、３１・・・ＲＡＭ、３２・・・ＲＯＭ、３３・・・ＨＤＤ、３４・・・ネットワークＩ／Ｆ、３５・・・バス、４０・・・情報管理手段、４１・・・情報共有手段、４２・・・閲覧許可手段、４３・・・返信対象記憶手段、４４・・・送信制御手段。
【先行技術文献】
【特許文献】
【００６７】
【特許文献１】特開２００９−２９０７３０号公報
【図１】
2015061142.tif 000003
【図２】
2015061142.tif 000004
【図３】
2015061142.tif 000005
【図４】
2015061142.tif 000006
【図５】
2015061142.tif 000007
【図６】
2015061142.tif 000008
【図７】
2015061142.tif 000009
【図８】
2015061142.tif 000010
【図９】
2015061142.tif 000011
【図１０】
2015061142.tif 000012
【図１１】
2015061142.tif 000013
【図１２】
2015061142.tif 000014
【図１３】
2015061142.tif 000015
【図１４】
2015061142.tif 000016
【図１５】
2015061142.tif 000017